(57)【特許請求の範囲】
【請求項１】
複数チャンネルの音響信号を処理するミキサのパラメータ設定装置であって、
各チャンネルごとのパラメータ調整を行うための、ＳＥＬスイッチを含む、操作子を配置した操作パネルと、
コピーモードに設定する手段と、
コピーモードが設定されたとき、前記操作パネル上の全チャンネルのＳＥＬスイッチを、パラメータコピー操作用として、有効に設定する手段と、
コピーモードが設定されている場合に、ＳＥＬスイッチの操作を検出したとき、
(a)そのＳＥＬスイッチ操作がコピー元チャンネルを設定する操作と判定されるときは、そのＳＥＬスイッチのチャンネルをコピー元のチャンネルとして設定し、そのチャンネルと違う種類のチャンネルのＳＥＬスイッチを無効に設定し、そのチャンネルと同じ種類のＳＥＬスイッチのみを有効な状態とし、
(b)そのＳＥＬスイッチ操作がコピー先チャンネルを設定する操作と判定されるときは、そのＳＥＬスイッチのチャンネルをコピー先のチャンネルとして設定する手段と
を備えることを特徴とするミキサのパラメータ設定装置。
【請求項２】
請求項１に記載のミキサのパラメータ設定装置において、
前記コピーモードが設定されている場合に、ＳＥＬスイッチの操作を検出したとき、そのＳＥＬスイッチ操作がコピー元チャンネルを設定する操作かコピー先チャンネルを設定する操作かを判定する手段は、操作されたＳＥＬスイッチが有効、かつ、コピー元のチャンネルが設定されていない状態であるかを判定し、その判定が肯定のとき、そのＳＥＬスイッチの操作をコピー元チャンネルを設定する操作と認識するものであることを特徴とするミキサのパラメータ設定装置。
【請求項３】
請求項１に記載のミキサのパラメータ設定装置において、
前記コピーモードが設定されている場合に、ＳＥＬスイッチの操作を検出したとき、そのＳＥＬスイッチ操作がコピー元チャンネルを設定する操作かコピー先チャンネルを設定する操作かを判定する手段は、操作されたＳＥＬスイッチが有効、かつ、コピー元のチャンネルが設定されている状態であるかを判定し、その判定が肯定のとき、そのＳＥＬスイッチの操作をコピー先チャンネルを設定する操作と認識するものであることを特徴とするミキサのパラメータ設定装置。
【請求項４】
請求項１に記載のミキサのパラメータ設定装置において、
コピーの実行を指示する手段と、
コピーの実行が指示されたとき、コピー元チャンネルとして設定されているチャンネルのパラメータを、コピー先チャンネルとして設定されているチャンネルのパラメータへ、コピーするとともに、前記コピー先チャンネルとして設定されているチャンネルが複数存在していた場合はそれら全てのチャンネルのパラメータへコピーする手段と
をさらに備えることを特徴とするミキサのパラメータ設定装置。
【請求項５】
請求項１に記載のミキサのパラメータ設定装置において、
前記操作パネル上に表示手段を備えるとともに、
コピーモードが設定されたときに、該表示手段に、前記操作パネルの各チャンネルの操作子の全体の配置を模したミニチュア画面を、その全体がスクロールする必要なしに１画面に収まるように、表示する手段と、
前記コピー元チャンネルが設定されたときには、該ミニチュア画面に表示されている各チャンネルの操作子のうち、前記コピー元チャンネルとして設定されたチャンネルと違う種類のチャンネルに対応する操作子の表示部分を非表示とする手段と
をさらに備えることを特徴とするミキサのパラメータ設定装置。
【発明の詳細な説明】
【技術分野】
【０００１】
この発明は、音響信号のミキシングなどを行うミキサ装置において、あるチャンネルのパラメータを他のチャンネルへコピーする機能を備えたパラメータ設定装置に関する。
【背景技術】
【０００２】
音響信号のミキシング処理などを行うミキサ装置では、通常、複数の入力チャンネル（ｃｈ）及び出力ｃｈが備えられている。各ｃｈには複数の各種のパラメータが設定できる。例えば入力ｃｈであれば、イコライザ（ＥＱ）、ゲート（ＧＡＴＥ）、コンプレッサ（ＣＯＭＰ）などである。これらのパラメータの値は、ユーザがｃｈ毎に、操作パネル上の各種操作子を操作することなどにより、任意に設定することができる。パラメータ値の設定操作を簡単にするため、あるｃｈのパラメータを他のｃｈへコピーする機能を備えたものがある。
【０００３】
例えば、下記非特許文献１に記載のミキサ装置では、画面に表示されたメニューから入力ｃｈビューの画面を呼び出し、該入力ｃｈビューでコピー元のｃｈとコピーするパラメータとを選択し、さらにコピー先のｃｈを選択することにより、ｃｈ間でパラメータのコピーを行うことができる。入力ｃｈビューには、全入力ｃｈのｃｈ番号がそれぞれ数字のアイコンで表示され、該アイコンによりコピー元のｃｈとコピー先のｃｈ番号を選択するようになっている。ｃｈには、入力ｃｈや出力ｃｈなど複数の種類があり、種類毎にそのｃｈが持つパラメータが異なるため、ｃｈコピー画面は種類毎に備えられている。例えば非特許文献１のものでは、入力ｃｈのパラメータのコピーを行う入力ｃｈビューと出力ｃｈのパラメータのコピーを行う出力ｃｈビューとが備えられている。
【非特許文献１】「DIGITAL AUDIO MIXING SYSTEM PM1D  システムソフトウエアV1.6  追補マニュアル」、p24〜26、ヤマハ株式会社、２００３年
【発明の開示】
【発明が解決しようとする課題】
【０００４】
ところで、上述の従来技術では、コピーしたいｃｈの種類に応じてｃｈコピー画面を切り替える必要があり、コピー作業に手間がかかるという問題があった。
【０００５】
この発明は、ミキサ装置において、ｃｈの種類にかかわりなくｃｈ間でパラメータのコピーを容易に行うことができる技術を提供することを目的とする。
【課題を解決するための手段】
【０００６】
上記目的を達成するため、本発明では、コピーモードが設定されたとき、操作パネル上の全チャンネルのＳＥＬスイッチを、パラメータコピー操作用として有効に設定し、コピーモードが設定されている場合にＳＥＬスイッチの操作を検出したとき、(a)そのＳＥＬスイッチ操作がコピー元チャンネルを設定する操作と判定されるときは、そのＳＥＬスイッチのチャンネルをコピー元のチャンネルとして設定し、そのチャンネルと違う種類のチャンネルのＳＥＬスイッチを無効に設定し、そのチャンネルと同じ種類のＳＥＬスイッチのみを有効な状態とし、(b)そのＳＥＬスイッチ操作がコピー先チャンネルを設定する操作と判定されるときは、そのＳＥＬスイッチのチャンネルをコピー先のチャンネルとして設定するようにしたことを特徴とする。
【０００７】
操作されたＳＥＬスイッチが有効、かつ、コピー元のチャンネルが設定されていない状態であると判定されたとき、そのＳＥＬスイッチの操作をコピー元チャンネルを設定する操作と認識し、また、操作されたＳＥＬスイッチが有効、かつ、コピー元のチャンネルが設定されている状態であると判定されたとき、そのＳＥＬスイッチの操作をコピー先チャンネルを設定する操作と認識するようにする。
【０００８】
また、コピーの実行が指示されたとき、コピー元チャンネルとして設定されているチャンネルのパラメータを、コピー先チャンネルとして設定されているチャンネルのパラメータへ、コピーするとともに、前記コピー先チャンネルとして設定されているチャンネルが複数存在していた場合はそれら全てのチャンネルのパラメータへコピーするものとする。
【０００９】
コピーモードが設定されたときに、表示手段に、操作パネルの各チャンネルの操作子の全体の配置を模したミニチュア画面を、その全体がスクロールする必要なしに１画面に収まるように、表示し、コピー元チャンネルが設定されたときには、該ミニチュア画面に表示されている各チャンネルの操作子のうち、コピー元チャンネルとして設定されたチャンネルと違う種類のチャンネルに対応する操作子の表示部分を非表示（無効であることが分るような態様で表示することも含む）とするとよい。
【発明の効果】
【００１０】
本発明によれば、入力ｃｈや出力ｃｈなどのｃｈの種類によらず同じ操作でｃｈ間のパラメータのコピーを行うことができ、コピー作業が簡単で作業効率が向上する。コピー作業が感覚的で分かりやすく操作性が向上する。
【発明を実施するための最良の形態】
【００１１】
以下、図面を用いてこの発明を実施するための一形態例を説明する。
【００１２】
図１は、この発明の一実施形態であるデジタルミキサのハード構成図を示す。このデジタルミキサは、ＣＰＵ（中央処理装置）１０１、ランダムアクセスメモリ（ＲＡＭ）１０２、リードオンリメモリ（ＲＯＭ）１０３、操作子１０４、検出回路１０５、表示部１０６、表示回路１０７、楽音信号入出力機器１０８、信号処理回路１０９、通信インターフェース（Ｉ／Ｆ）１１１、及び通信バス１１２を備える。
【００１３】
ＣＰＵ１０１は、このデジタルミキサ全体の動作を制御する処理装置である。ＲＡＭ１０２は、ＣＰＵ１０１が実行するプログラムをロードしたり各種バッファ領域を確保する揮発性メモリである。ＲＯＭ１０３は、ＣＰＵ１０１が実行するプログラムや各種のデータを格納する不揮発性メモリである。操作子１０４は、このデジタルミキサの外部操作パネル上に設けられた各種のスイッチやフェーダなどである。操作子１０４の操作は検出回路１０５により検出され、その操作情報はＣＰＵ１０１に送られる。表示部１０６は、このデジタルミキサの操作パネル上に設けられたディスプレイである。この表示部１０６は、タッチパネルになっており、画面上に表示されたボタンをタッチしてオンすることなどが可能である。表示回路１０７は、ＣＰＵ１０１の指示に応じて表示部１０６に各種の情報を表示する。信号処理回路１０９は、ＣＰＵ１０１の指示に基づいて各種のマイクロプログラムを実行するＤＳＰであり、楽音信号入出力機器１０８から入力した信号のミキシング処理、効果付与処理、及び音量レベル制御処理などを行い、処理後の信号を楽音信号入出力機器１０８経由で外部出力する。通信Ｉ／Ｆ１１１は、各種の外部機器１１０を接続するためのインターフェースである。
【００１４】
図２は、この実施形態のミキサの外部操作パネル上の操作子１０４及び表示部１０６の配列を示す。操作パネル上の左側に入力ｃｈストリップ部２０１〜２０４が設けられ、右側に入力ｃｈストリップ部２０５，２０６が設けられている。入力ｃｈストリップ部２０１〜２０６は、順に、入力ｃｈのうち、第１〜８ｃｈ、第９〜１６ｃｈ、第１７〜２４ｃｈ、第２５〜３２ｃｈ、第３３〜４０ｃｈ、第４１〜４８ｃｈのそれぞれ８ｃｈ分の操作子を備える。ＳＴ入力ｃｈストリップ部２０７は、ステレオ入力ｃｈに対応する操作子である。出力ｃｈストリップ部２０８は、ステレオ出力ｃｈとモノラル出力ｃｈに対応する操作子である。２１１は表示器、２１２は割当ｃｈストリップ部、２１３はＧ（グループ）選択操作部である。
【００１５】
図３（ａ）は、入力ｃｈストリップ部２０１〜２０６の詳細な構成を示す。各入力ｃｈストリップ部は、３００−１〜３００−８の８本のｃｈストリップを備える。１本のｃｈストリップ、例えば３００−１は、ＳＥＬスイッチ３０１、ＣＵＥスイッチ３０２、レベルメータ用のＬＥＤ３０３、ＯＮスイッチ３０４、及び電動フェーダ３０５を備える。各スイッチ３０１，３０２，３０４は、当該スイッチがオンされたときに点灯しオフされたときに消灯するＬＥＤを備えている。ＳＥＬスイッチ３０１は、通常は、当該ｃｈストリップに割当てられたｃｈを選択し、当該ｃｈに関する詳細なパラメータ設定画面を表示し、該画面でパラメータの設定変更を行うことを選択するスイッチである。ＬＥＤ３０３は、当該ｃｈに入力する信号のレベルの値をリアルタイム表示するメータである。ＯＮスイッチ３０４は、各ｃｈの信号のオン／オフを切り替えるスイッチである。電動フェーダ３０５は、当該ｃｈのレベルを設定するための操作子である。他のｃｈストリップ３００−２〜３００−８も同様の構成である。
【００１６】
ＳＴ入力ｃｈストリップ部２０７も、同様の構成である。ただし、ＳＴ入力ｃｈストリップ部２０７は、左右１組のステレオ入力ｃｈに対して１本のｃｈストリップが対応し、そのようなステレオ入力ｃｈが４組入力するので、その４組分のｃｈストリップ４本が備えられている。割当ｃｈストリップ部２１２も同様の構成であり、図３（ａ）に示すようなｃｈストリップが８本設けられている。出力ｃｈストリップ部２０８も同様の構成である。ただし、出力ｃｈストリップ部２０８は、ステレオ出力ｃｈ（Ｌ／Ｒのペア）を操作するためのｃｈストリップと、モノラル出力（Ｃ）を操作するためのｃｈストリップとからなる。
【００１７】
図３（ｂ）は、図２のＧ（グループ）選択操作部２１３の詳細な構成を示す。６個の選択スイッチ３１１〜３１６は、それぞれ図２の入力ｃｈストリップ部２０１〜２０６に対応し、それらの各入力ｃｈストリップ部を割当ｃｈストリップ部２１２に割当てる（呼び出す）ための操作子である。例えば、選択スイッチ３１１をオンすると、入力ｃｈストリップ部２０１が割当ｃｈストリップ部２１２に割当てられ、これにより割当ｃｈストリップ部２１２の８本のｃｈストリップがそれぞれ第１〜８ｃｈの入力ｃｈストリップとして機能することになる。Ｇ選択操作部２１３のＳＴＩＮスイッチ３１７をオンすると図２のＳＴ入力ｃｈストリップ部２０７が、ＳＴ／ＭＯＮＯスイッチ３１８がオンされると図２の出力ｃｈストリップ部２０８が、それぞれ割当ｃｈストリップ部２１２に割当てられる。なお、ＳＴ入力ｃｈストリップ部２０７は４本のｃｈストリップ、出力ｃｈストリップ部２０８は２本のｃｈストリップから構成されているので、割当ｃｈストリップ部２１２に割当てたときは、それぞれ左寄りの４本または２本のｃｈストリップのみが有効となる。入力ｃｈストリップ部２０１〜２０６を割当ｃｈストリップ部２１２に割当てたときも、入力ｃｈストリップ部２０１〜２０６における操作は有効である。すなわち、この場合は、入力ｃｈストリップ部２０１〜２０６でも割当ｃｈストリップ部２１２でも同じｃｈに対する操作が行える。
【００１８】
上述の選択スイッチ３１１〜３１２は、図２の操作パネル上に設けられているｃｈストリップ部２０１〜２０８を割当ｃｈストリップ部２１２に割当てて、オペレータが左右に移動することなく中央部の操作子で操作できるようにしたものである。一方、３２１〜３２４は、操作パネル上には存在しない内部的なｃｈの操作を行うための割当スイッチである。３２１は内部的に設けられているマトリックスバスの出力ｃｈ（８ｃｈ分）の各ｃｈを操作するための操作子として割当ｃｈストリップ部２１２を用いることを指定する選択スイッチである。３２２は内部的に設けられているＭＩＸバスのＭＩＸ出力ｃｈのうち第９〜１６ｃｈ、３２３はそのＭＩＸ出力ｃｈのうち第１〜８ｃｈについて、それぞれ操作するための操作子として割当ｃｈストリップ部２１２を用いることを指定する選択スイッチである。ＤＣＡ選択スイッチ３２４も同様である。
【００１９】
ｃｈの種類で見ると、スイッチ３１１〜３１６で選択できる入力ｃｈとＳＴＩＮスイッチ３１７で選択できるステレオ入力ｃｈが入力系ｃｈであり、スイッチ３１８で選択できるステレオ出力ｃｈとモノラル出力ｃｈ及びスイッチ３２１〜３２４で選択できる内部的なｃｈが出力系ｃｈである。入力系ｃｈと出力系ｃｈとは、設定できるパラメータの種類が（同じものもあるが基本的には）異なる。
【００２０】
図４は、ｃｈ間でパラメータをコピーするコピー画面４００を示す。このコピー画面４００は、所定のメニューからパラメータのｃｈ間コピーを選択することにより図２の表示器２１１へ表示される。なお、ｃｈ間コピーを行うことを指示するスイッチなどを設け、該スイッチの操作に応じてコピー画面４００を表示するようにしてもよい。図４において、コピー画面４００には、コピー元表示領域４０１とコピー先表示領域４０２が設けられ、実行ボタン４０３が表示されている。初めにコピー画面４００が表示されたとき、コピー元表示領域４０１の枠線が太線で表示され、該領域４０１には、図２及び図３で説明した操作パネル上で操作することができる各ｃｈの操作子のミニチュア画面が表示される。コピー元表示領域４０１の枠線を太線とするのは、この時点で設定できるのがコピー元ｃｈであることを示すためである。コピー画面４００が初めに表示された初期状態では、コピー先表示領域４０２は空白である。
【００２１】
図５に、コピー元表示領域４０１に表示されるミニチュア画面の表示例を示す。このミニチュア画面は、操作パネル上の各ｃｈの操作子の配置と対応する表示になっている。すなわち、ミニチュア画面には、該当ｃｈが選択中か否かを表すためのｃｈ表示素子を、ｃｈごとに、操作パネル上の各ｃｈの配置と一致させて、全ｃｈ分表示する。例えば図２の操作パネル上の入力ｃｈストリップ部２０１〜２０６のｃｈ１〜４８の操作子に対応して、５０１〜５０６の表示が為されている。５０１に注目すると、ｃｈ１〜８のｃｈ表示素子が表示されている。また、ステレオ入力ｃｈストリップ２０７と出力ｃｈストリップ２０８に対応して５０７と５０８の表示が為されている。さらに、操作パネル上には存在しないが、図３（ｂ）のＧ選択操作部のスイッチ３２１〜３２４で選択することができる内部的なｃｈについても、同様に、５１１〜５１４のように各ｃｈの操作子を模したｃｈ表示素子を含むミニチュア画面が表示される。
【００２２】
コピー画面４００が初めに表示された初期状態では、コピー元のｃｈは未だ選択されていないので、図５のミニチュア画面では各ｃｈのｃｈ表示素子は全て通常表示（反転していない）されている。この状態から、ユーザが操作パネル上の何れかのｃｈのＳＥＬスイッチをオンすると、そのｃｈがコピー元ｃｈとして設定される。コピー元ｃｈとして設定されたｃｈは、図５のミニチュア画面上でそのｃｈのｃｈ表示素子が反転表示（色を変えたり強調表示としてもよい）される。図５は、ｃｈ１がコピー元ｃｈとして設定された状態を示す。コピー元ｃｈが設定されると、コピー元表示領域４０１の枠線が太線から通常の太さの線に変更され（領域４０１内の表示はそのままとする）、コピー先表示領域４０２の枠線が太線となる。また、コピー先表示領域４０２には、コピー元で選択されたｃｈの種類に応じて選択可能なコピー先ｃｈの一覧が表示される。このコピー先表示領域４０２の表示例は、図６で後述する。コピー元ｃｈが設定された状態で、コピー元表示領域４０１をタッチすると、コピー元ｃｈとコピー先ｃｈの設定が全て解除され（画面は、コピー画面４００が初めに表示された初期状態に戻る）、再びコピー元ｃｈの設定からやり直すことができる。
【００２３】
なお、図５の表示部分５１１〜５１４に表示された出力系ｃｈは、操作パネル上に直接そのｃｈの操作を行えるＳＥＬスイッチが設けられていないので、図３（ｂ）のＧ選択操作部のスイッチ３２１〜３２４でレイヤを選択した上で、図２の割当ｃｈストリップ部２１２のＳＥＬスイッチを操作する必要がある。次に説明するコピー先ｃｈの設定の際も同様である。
【００２４】
図６に、コピー先表示領域４０２の表示例を示す。いまコピー元ｃｈとして入力ｃｈ１が選択されているものとすると、その種類は入力系ｃｈであるので、コピー先表示領域４０２にはコピー先として選択可能なｃｈ、すなわち入力系のｃｈのｃｈ表示素子のみが表示されている。逆に言えば、出力系のｃｈのｃｈ表示素子（図５の５０８と５１１〜５１４）は非表示とされる。コピー先表示領域４０２の初期状態では、各ｃｈのｃｈ表示素子は通常表示されている。この状態で操作パネル上の何れかのｃｈのＳＥＬスイッチを操作し、コピー先ｃｈを設定する。コピー先ｃｈは複数設定することができる。コピー先ｃｈとして設定されたｃｈのｃｈ表示素子は、反転表示（色を変えたり強調表示としてもよい）される。図６は、ｃｈ６〜ｃｈ８がコピー先ｃｈとして設定された状態を示す。コピー元ｃｈの種類に応じてコピー先として選択可能なｃｈの種類が決まっているので、それ以外の種類のｃｈのＳＥＬスイッチ（すなわち図６で非表示にされているもの）は操作が無効にされている。１つまたは複数のコピー先ｃｈを選択した後、実行ボタン４０３をオンすると、コピーが実行される。
【００２５】
図６では入力系のｃｈのみ表示するコピー先表示領域４０２の表示例を示したが、コピー元ｃｈとして出力系ｃｈが設定されたときには、コピー先表示領域４０２に、出力系ｃｈの表示部分（図５で言えば、５０８と５１１〜５１４）のみが表示されることになる。
【００２６】
なお、コピー先ｃｈを設定するとき、ＳＥＬスイッチはトグルで使用して設定／解除できる。すなわち、一旦コピー先ｃｈとして設定されているｃｈのＳＥＬスイッチを再度オンすると、そのコピー先ｃｈとしての設定が解除される。また、コピー画面４００が表示されているときには、各ｃｈのＳＥＬスイッチのみがコピー元及びコピー先の選択のためのスイッチとして使用され、ＳＥＬスイッチ以外の操作子は、コピー画面４００が表示される前の状態のままの機能を保持しているものとする。したがって、コピー画面４００が表示された状態であっても、あるｃｈのフェーダ３０５を操作すると、当該ｃｈのレベル調整を行うことができる。
【００２７】
図７は、所定のメニューからパラメータのｃｈ間コピーの指示がなされたとき起動されるコピーモードにおける処理の手順を示す。ステップ７０１で、上述した初期状態のコピー画面４００を表示し、そのコピー元表示領域４０１に、コンソール全体のミニチュア画面を表示する。このミニチュア画面は、図５で説明したように、１画面上で（スクロールする必要なしに）コンソール全体を擬似的に表示するものとする。ステップ７０２で、全ｃｈのＳＥＬスイッチを有効に設定する。これは、コピー元及びコピー先のｃｈの選択スイッチとしてＳＥＬスイッチを有効にするということである。次にステップ７０３で、ＳＥＬスイッチの操作を検出したかどうか判別する。検出したら、ステップ７０４で、そのＳＥＬスイッチが有効であるか否か判別する。有効であれば、ステップ７０５で、既にコピー元に設定されているｃｈがあるか判別する。コピー元ｃｈがなければ、ステップ７０６で、そのｃｈ（ＳＥＬスイッチが操作されたｃｈ）をコピー元ｃｈとして設定する。次にステップ７０７で、そのｃｈと種類が違うｃｈを検出する。ステップ７０８で、検出したｃｈのＳＥＬスイッチを無効にする。これは、コピー元として設定されたｃｈと同じ種類のＳＥＬスイッチのみを有効な状態とする処理である。次にステップ７０９で、コピー画面中のコピー元表示領域４０１の枠線を太線から通常の太さに戻し、コピー先表示領域４０２の枠線を太線とするとともに、そのコピー先表示領域４０２に、図６で説明したようにコピー元ｃｈと同じ種類のｃｈ部分を表示し、ステップ７１３に進む。
【００２８】
ステップ７０５で既にコピー元に設定されているｃｈがある場合は、ステップ７１０で、そのｃｈすなわちステップ７０３で操作を検出したｃｈが既にコピー元として設定されているｃｈと同じか否か判定する。異なる場合は、コピー先ｃｈが選択されたということであるから、ステップ７１１で、そのｃｈ（ＳＥＬスイッチが操作されたｃｈ）をコピー先ｃｈとして設定し、あるいはそのｃｈが既にコピー先ｃｈに設定されている場合はコピー先から解除する。次にステップ７１２で、コピー先ｃｈの設定と解除に合わせてそのｃｈのｃｈ表示素子の表示態様を変更し（設定されたものは反転表示、解除されたものは通常表示）、ステップ７１３に進む。ステップ７０３でＳＥＬスイッチの操作の検出でないとき、ステップ７０４で操作されたＳＥＬスイッチが有効でないとき、及びステップ７１０で操作を検出したｃｈがコピー元ｃｈとして設定されているｃｈであった場合は、そのままステップ７１３に進む。
【００２９】
ステップ７１３では、コピーの実行操作（図４の実行ボタン４０３のオン）を検出したかチェックし、実行操作がなされていたら、コピー元ｃｈとして設定されているｃｈのパラメータをコピー先ｃｈとして設定されているｃｈへコピーする。コピー先ｃｈが複数あれば、それら全てのｃｈのパラメータにコピーするものとする。次にステップ７１４で、コピー元ｃｈの設定の解除操作を検出したかどうかをチェックし、解除操作がなされていたら、その時点で設定されている全てのコピー元とコピー先のｃｈを解除する。なお、コピー元ｃｈの設定の解除操作とは、図５で説明した、コピー元ｃｈが設定された状態でコピー元表示領域４０１をタッチする操作のことである。次にステップ７１５で、その他の操作に応じた処理を行う。ステップ７１６でコピーモードの解除操作（図４のコピー画面の右上の「閉じる」ボタンのオン操作）を検出したか判別し、解除操作が行われていたときは、ステップ７１７でコピーモードを解除する。これにより、全ｃｈのＳＥＬスイッチは元の機能として有効に設定される。解除操作が行われていないときは、ステップ７１６からステップ７０３に戻って処理を続ける。
【００３０】
なお、図６のコピー先表示領域の表示例では、コピー元ｃｈとして設定されたｃｈの種類と同じ種類のｃｈのみを表示するようにしたが、図５と同様に全体を表示し、有効な部分のみをそれと分るように表示してもよい。例えば、無効なｃｈ部分はグレーアウト表示するなどである。すなわち、違う種類のｃｈ部分を、同じ種類のｃｈ部分よりも目立たない特殊な表示態様へ変更することも、本発明の「非表示」の範囲内である。要するに同じ種類のｃｈ部分が強調されるように表示すればよい。
【００３１】
また、コピー元とコピー先のｃｈをＳＥＬスイッチで設定するのに加え、コピー画面上に表示された各ｃｈ表示素子部分をタッチすることで設定できるようにしてもよい。さらに、図４のコピー画面では、コピー元表示領域４０１とコピー先表示領域４０２とを分けて表示したが、１つのミニチュア画面で両方を表示し、ｃｈ選択時のｃｈ表示素子の色を変えるなどしてコピー元ｃｈとコピー先ｃｈを区別するようにしてもよい。
【図面の簡単な説明】
【００３２】
【図１】実施形態のデジタルミキサのハード構成図
【図２】外部操作パネル上の操作子及び表示部の配列を示す図
【図３】ｃｈストリップ部及びＧ（グループ）選択操作部の詳細な構成図
【図４】コピー画面の表示例を示す図
【図５】コピー元表示領域に表示されるミニチュア画面の表示例を示す図
【図６】コピー先表示領域に表示されるミニチュア画面の表示例を示す図
【図７】コピーモードにおける処理の手順を示すフローチャート図
【符号の説明】
【００３３】
１０１…ＣＰＵ、１０２…ＲＡＭ、１０３…ＲＯＭ、１０４…操作子、１０５…検出回路、１０６…表示部、１０７…表示回路、１０８…楽音信号入出力機器、１０９…信号処理回路、１１０…外部機器、１１１…通信Ｉ／Ｆ、１１２…通信バス。
【図１】
0004465718.tif 000002
【図２】
0004465718.tif 000003
【図３】
0004465718.tif 000004
【図４】
0004465718.tif 000005
【図５】
0004465718.tif 000006
【図６】
0004465718.tif 000007
【図７】
0004465718.tif 000008